(57)【要約】      （修正有）【課題】メール等を表示した状態で、表示されているユーザデータに関連付けられた有効なユーザデータを抽出し、実行可能な機能を表示することのできる携帯端末装置を提供する。【解決手段】第１ユーザデータと、第１ユーザデータに関連付けられ、少なくとも電話番号又はメールアドレスの何れか一方を含む第２ユーザデータを記憶する記憶部61と、表示部に第１ユーザデータが表示され、操作部により第１ユーザデータに含まれる特定の第１ユーザデータを選択するための入力が受け付けられたとき、選択された第１ユーザデータに関連付けられた第２ユーザデータを記憶部より抽出する抽出部72と、抽出部により抽出された第２ユーザデータに基づき実行される所定の機能を第１ユーザデータと共に表示部に表示させ、操作部より受け付けられた入力に応じて所定の機能を実行する実行部73と、を具える。【選択図】図２
2015216642.tif 000002
【特許請求の範囲】
【請求項１】
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、
前記表示部に前記第１ユーザデータを含む複数の受信メール、又は複数の電話の着信履歴が表示されている場合に、前記操作部により前記複数の受信メール、又は前記複数の電話の着信履歴から前記第１ユーザデータに含まれる特定の第１ユーザデータを選択するための入力が受け付けられたとき、選択された第１ユーザデータに関連付けられた前記第２ユーザデータに基づき実行される所定の機能を前記第１ユーザデータと共に前記表示部に表示させ、前記操作部より受け付けられた入力に応じて前記所定の機能を実行する実行部と、
を具えることを特徴とする携帯端末装置。
【請求項２】
前記実行部により実行される機能には、少なくとも電話の発信、送受信メールの一覧表示、メールの作成又はホームページの表示の何れか一を含む請求項１に記載の携帯端末装置。
【請求項３】
前記実行部は、前記表示画面に前記第２ユーザデータに関連する機能をショートカット又はサムネイルにより表示する請求項１又は請求項２に記載の携帯端末装置。
【請求項４】
前記第１ユーザデータを選択すると、選択された前記第１ユーザデータを含む複数の受信メール、又は複数の電話の着信履歴の少なくとも一部と、前記第２ユーザデータに基づき実行される所定の機能とを前記表示部に表示する、
請求項１乃至請求項３の何れかに記載の携帯端末装置。
【請求項５】
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、を有する携帯端末装置のコンピュータに、
前記表示部に前記第１ユーザデータを含む複数の受信メール、又は複数の電話の着信履歴が表示されている場合に、前記操作部により前記複数の受信メール、又は前記複数の電話の着信履歴から前記第１ユーザデータに含まれる特定の第１ユーザデータを選択するための入力が受け付けられたとき、選択された第１ユーザデータに関連付けられた前記第２ユーザデータに基づき実行される所定の機能を前記第１ユーザデータと共に前記表示部に表示させる手順と、
前記操作部より受け付けられた入力に応じて前記所定の機能を実行する手順と、
を実行させることを特徴とする携帯端末装置のプログラム。
【請求項６】
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、を具える携帯端末装置の制御方法であって、
前記表示部に前記第１ユーザデータを含む複数の受信メール、又は複数の電話の着信履歴が表示されている場合に、前記操作部により前記複数の受信メール、又は前記複数の電話の着信履歴から前記第１ユーザデータに含まれる特定の第１ユーザデータを選択するための入力が受け付けられたとき、選択された第１ユーザデータに関連付けられた前記第２ユーザデータに基づき実行される所定の機能を前記第１ユーザデータと共に前記表示部に表示させ、前記操作部より受け付けられた入力に応じて前記所定の機能を実行する、
ことを特徴とする携帯端末装置の制御方法。
【発明の詳細な説明】
【技術分野】
【０００１】
本発明は、操作性を高めることのできる携帯端末装置に関するものであり、より具体的にはアドレス帳などに登録されているユーザデータと該ユーザデータに関連付けられた機能を表示して容易に実行することのできる携帯端末装置に関するものである。
【背景技術】
【０００２】
メールソフトを起動させた状態で、アドレス帳に登録された相手先のアドレス等(以下「ユーザデータ」と称する)を含むメールの表示などの機能を実行したときに、該ユーザデータに関連する音声発信、メール作成画面表示、ウェブページ表示などの機能をキー表示するようにした携帯端末装置が知られている(例えば特許文献１参照)。
表示された機能をキー操作することで、該当する機能、例えば、音声発信などを実行することができる。
【先行技術文献】
【特許文献】
【０００３】
【特許文献１】国際公開第ＷＯ２００６／０８５５４４号
【発明の概要】
【発明が解決しようとする課題】
【０００４】
ユーザデータに関連する機能の割り当てられたキーを選択したときに、その機能に対するユーザデータが複数存在する場合、例えば、複数の電話番号が登録されている場合には、使用者は、音声発信キーを選択した後に音声発信すべき電話番号を選択する操作がさらに必要となり、操作が煩雑となる。
また、表示される機能の割り当てられたキーは予め設定されているから、該当するキーを操作しても、そのキーの機能に対応するユーザデータが存在しないことがある。即ち、音声発信のキーを操作したときに、携帯電話番号等の電話番号がユーザデータとして登録されていなければ、キー操作してもその操作は無効となる。従って、操作時に不便を感じることがある。
【０００５】
本発明の目的は、メール等を表示した状態で、表示されているユーザデータに関連付けられた有効なユーザデータを抽出し、実行可能な機能を表示することのできる携帯端末装置を提供することである。
【課題を解決するための手段】
【０００６】
上記課題を解決するために、本発明の携帯端末装置は、
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、
前記表示部に前記第１ユーザデータが表示されている場合に、前記操作部により前記第１ユーザデータに含まれる特定の第１ユーザデータを選択するための入力が受け付けられたとき、選択された第１ユーザデータに関連付けられた前記第２ユーザデータを前記記憶部より抽出する抽出部と、
前記抽出部により抽出された前記第２ユーザデータに基づき実行される所定の機能を前記第１ユーザデータと共に前記表示部に表示させ、前記操作部より受け付けられた入力に応じて前記所定の機能を実行する実行部と、
を具える。
【０００７】
また、本発明の携帯端末装置のプログラムは、
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、を有する携帯端末装置のコンピュータに、前記表示部に前記第１ユーザデータが表示されている場合に、前記操作部により前記第１ユーザデータに含まれる特定の第１ユーザデータを選択するための入力が受け付けられたとき、選択された第１ユーザデータに関連付けられた前記第２ユーザデータを前記記憶部より抽出する手順と、
前記抽出部により抽出された前記第２ユーザデータに基づき実行される所定の機能を前記第１ユーザデータと共に前記表示部に表示させ、前記操作部より受け付けられた入力に応じて前記所定の機能を実行する手順と、
を実行させる。
【０００８】
さらに、本発明の携帯端末装置の制御方法は、
表示部と、
入力を受け付ける操作部と、
第１ユーザデータと、該第１ユーザデータに関連付けられ、少なくとも電話番号又はメールアドレスの何れか一方を含む第２ユーザデータを記憶する記憶部と、を具える携帯端末装置の制御方法であって、
前記表示部に前記第１ユーザデータが表示されている場合に、前記操作部により前記第１ユーザデータに含まれる特定の第１ユーザデータを選択するための入力が受け付けられたとき、選択された第１ユーザデータに関連付けられた前記第２ユーザデータを前記記憶部より抽出し、
前記抽出部により抽出された前記第２ユーザデータに基づき実行される所定の機能を前記第１ユーザデータと共に前記表示部に表示させ、前記操作部より受け付けられた入力に応じて前記所定の機能を実行するものである。
【発明の効果】
【０００９】
本発明の携帯端末装置によれば、第１ユーザデータが表示されている状態で、特定の第１ユーザデータを選択することにより、選択された第１ユーザデータに関連付けられた第２ユーザデータを抽出し、該第２ユーザデータの各々に対応する機能を表示する。使用者は、表示された機能を操作するだけで、ダイレクトに該当する機能を実行することができる。また、対応する機能は前記第１ユーザデータが選択される都度、記憶部から抽出されるから、対応する第２ユーザデータがない無効な機能は表示されることはなく、操作性を向上させることができる。
【図面の簡単な説明】
【００１０】
【図１】図１は、本発明が適用される携帯端末装置の一例を示す斜視図である。
【図２】図２は、本発明の携帯端末装置のブロック図である。
【図３】図３は、本発明の動作の一例を示すフローチャート図である。
【図４】図４は、受信メール選択時の表示画面の一例を示す説明図である。
【図５】図５は、第１ユーザデータを選択した際の異なる表示画面の例を示している。
【図６】図６は、第１ユーザデータを選択した際に対応する第２ユーザデータ及びその機能がない場合の表示画面の例を示している。
【図７】図７は、異なる第１ユーザデータを選択した場合の表示画面の例を示している。
【図８】図８は、記憶部に記憶されたユーザデータを示すテーブルである。
【発明を実施するための形態】
【００１１】
以下では、図１に示すように、２つの表示画面(21)(31)を有し、各表示画面(21)(31)にタッチパネル(22)(32)を具える携帯型の携帯端末装置(10)に本発明を適用した実施例について説明する。なお、図示の携帯端末装置(10)は、説明のためのものであり、具体的な構造、構成について、本発明を限定的に解釈すべきでないことは勿論である。
【００１２】
携帯端末装置(10)は、プラットフォームとなるオペレーティングシステム上で１又は複数のアプリケーションを起動し、表示画面(21)(31)に各種情報を表示し、操作部となるタッチパネル(22)及び／又はタッチパネル(32)を操作することで、操作、編集などの処理を行なうことができる。
【００１３】
まず、本実施例に係る携帯型携帯端末装置(10)の構造について説明を行なう。
携帯端末装置(10)は、図１に示すように、使用者の所望するアプリケーションに対応して、文字、図形、イメージ、映像、音楽、動画等の情報を表示可能な２つの表示画面(21)(31)と、該表示画面の表面に使用者が触れることで操作可能な操作部となるタッチパネル(22)(32)とを有する表示部(20)(30)を、連結機構(40)によって相対的に開閉やスライド等により移動可能に連結して構成することができる。
なお、表示部(20)(30)は、２つに限定されるものではない。また、操作部はタッチパネル式に限らず、ボタン押下式やジョグダイヤル式などであってもよい。
【００１４】
第１表示部(20)及び第２表示部(30)は、図１に示すように、一方の面が開口した筺体(23)(33)内に、情報を表示可能な表示画面(21)(31)が開口側から視認可能となるように収容されている。表示画面(21)(31)は、後述する制御部(60)(図２参照)に電気的に接続され、各種情報を表示可能となっている。なお、図１において、紙面右奥側に位置する表示部を第１表示部(20)、左手前側に位置する表示部を第２表示部(30)と称する。
【００１５】
表示画面(21)(31)は、液晶ディスプレイを例示できる。表示画面(21)(31)の開口側には、図１に示すように、使用者が指先(100)等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、指圧センサ方式、静電容量方式、抵抗膜方式のものを例示できる。
【００１６】
第１表示部(20)と第２表示部(30)は、連結機構(40)により、相対的に移動可能とすることができ、詳細な構成の説明は省略するが、例えば、第１表示部(20)を第２表示部(30)に対してスライド可能及び／又は回動可能とする構成を例示できる。
【００１７】
また、筺体(23)(33)の内部には、音声通話用のマイクロフォン及びスピーカ(何れも図示せず)が収容されている。
【００１８】
以下、本発明の携帯端末装置(10)の制御及び動作の一実施例について、図２のブロック図、図３の制御フローチャート図、及び、図４乃至図７の表示例を用いて説明する。
【００１９】
携帯端末装置(10)のすべての制御は、図２に示すように、ＣＰＵ等から構成される制御部(60)により行なわれる。制御部(60)には、以下で詳細に説明するように、タッチパネル(22)(32)がタッチパネル判定部(25)(35)を介して接続されており、また、表示画面(21)(31)、オペレーティングシステム制御部(70)、アプリケーション制御部(71)、抽出部(72)、実行部(73)、記憶部(61)等が接続されている。また、通信用のアンテナ(64)が通信部(63)を介して電気的に接続されており、その他、音声通話用のマイクロフォン(66)及びスピーカ(67)が音声通信部(65)を介して接続されている。
【００２０】
第１タッチパネル(22)及び第２タッチパネル(32)は、夫々第１タッチパネル判定部(25)、第２タッチパネル判定部(35)を介して制御部(60)に電気的に接続されている。第１タッチパネル(22)及び第２タッチパネル(32)からの使用者の入力は、座標情報としてタッチパネル判定部(25)(35)を介して制御部(60)に送信され、制御部(60)は、入力に応じて、表示画面(21)(31)の情報を編集、操作等行なう。
【００２１】
使用者が指(100)やスタイラスペン等によりタッチパネル(22)(32)に対して行なうことのできる操作内容として、比較的短くタッチパネル(22)(32)に触れるタップやダブルタップ、タッチパネル(22)(32)に触れる時間が、これらよりも長く、タッチパネル(22)(32)にタッチしたままタッチポイントを移動させる操作である所謂ドラッグ、タッチパネル(22)(32)をタッチしてから素早く払う操作である所謂フリック、タッチパネル(22)(32)を２つの指等でタッチしたままその距離を変える所謂ピンチ、タッチパネル(22)(32)の同じ位置を長押しする所謂ロングタッチ、タッチパネル(22)(32)に触れたまま、タッチパネル(22)(32)をなぞる所謂スワイプを例示することができる。
【００２２】
第１表示画面(21)、第２表示画面(31)は、制御部(60)に電気的に接続されて、使用するオペレーティングシステムやアプリケーションソフトに対応した各種情報を表示可能となっている。
【００２３】
携帯端末装置(10)に搭載されるオペレーティングシステムは、制御部(60)に電気的に接続されたオペレーティングシステム制御部(70)によって作動する。オペレーティングシステムは、アプリケーションのインターフェースとなるシステムであり、アプリケーションの起動、終了、音量調整、時刻表示、アラーム設定、その他のシステム的な動作を行なうものである。
【００２４】
また、携帯端末装置(10)で起動する各種アプリケーションは、前記オペレーティングシステム上で、制御部(60)に電気的に接続されたアプリケーション制御部(71)によって作動する。アプリケーションとして、メールソフト、音楽プレーヤ、ブラウザ、ビューワーソフト等を例示することができる。なお、以下では、アプリケーションとしてメールソフトを例に挙げて説明を行なう。
【００２５】
アプリケーション制御部(71)によりアプリケーションが起動されると、その内容、例えば、メールソフトの場合、受信メール一覧、送信メール一覧、メール作成画面等が表示画面(21)(31)に表示される。
【００２６】
アプリケーションにより表示されるデータは、その操作に応じて、記憶部(61)から抽出される。記憶部(61)は、使用者により記憶された各種のデータ(以下「ユーザデータ」と称する)を格納している。ユーザデータとして、相手先(以下、「ユーザ」と称する)の名称(氏名)、携帯電話番号、会社電話番号、メールアドレス、使用者との送受信メール一覧、ホームページアドレス、グループ一覧などを例示することができる。
これらは、例えば、図８に示すようなテーブルとして、記憶部(61)に設けられたアドレス帳記憶部(62)に格納することができる。ユーザデータは、ユーザが複数の場合、ユーザ毎に夫々関連付けられてアドレス帳記憶部(62)に格納される。ユーザデータの関連付けは、表示画面(21)(31)により確認することができる。
【００２７】
記憶部(61)には、さらに、夫々のユーザデータに一対一で対応する機能が格納されている。ユーザデータに対応する機能として、例えば、携帯電話番号や会社電話番号の場合は音声発信機能、メールアドレスの場合は返信機能や送受信したメールの一覧、ホームページアドレスの場合は該当するホームページアドレスのブラウズ機能、グループの場合はグループの電話番号表示やメールアドレス表示を挙げることができる。
【００２８】
アプリケーションの操作により、受信メール一覧の表示や、電話の着信、発信履歴一覧の表示などの機能が実行されると、アプリケーション制御部(71)は、そのメールアドレスや電話番号に一致するユーザの名称を記憶部(61)から抽出して、メールアドレスや電話番号に代えて、ユーザの名称を表示する。なお、以下では、ユーザの名称を「第１ユーザデータ」と称するものとする。
【００２９】
例えば、ホーム画面(91)が表示された状態(図４(ａ))から、アプリケーションを操作することにより、受信メールの一覧の表示が実行されると(図３のステップ１)、図４(ｂ)に示すように、表示画面に「受信メール一覧」が表示される(ステップ２)。図示では、受信メールは、送信者の名称(第１ユーザデータ)と受信日時で表示している。
【００３０】
使用者の操作部への入力により、表示された受信メールの一覧から特定のメールをタップ等によりが選択されると(ステップ３)、以下に示すように、選択されたメールに含まれるユーザデータ、即ち、送信者の名称(第１ユーザデータ：図示では「山本」)に関連付けられたユーザデータ(以下「第２ユーザデータ」と称する)が記憶部(61)から抽出される。
【００３１】
第２ユーザデータの抽出は、抽出部(72)により実行される。
抽出部(72)は、使用者により選択されたメールに含まれる第１ユーザデータに基づいて、記憶部(61)を参照し、記憶部(61)のテーブル(図８参照)から第１ユーザデータに関連付けられた第２ユーザデータ(例えばメールアドレス、携帯電話番号、自宅電話番号など)の有無を確認し、該当する第２ユーザデータが存在する場合には(ステップ４)、記憶部(61)から第２ユーザデータを抽出し(ステップ５)、次に説明する実行部(73)に送信する。
【００３２】
実行部(73)は、抽出部(72)から受信した第２ユーザデータに基づき、記憶部(61)を参照して、実行される機能を第２ユーザデータと関連付けて図４(ｃ)に示すように表示画面に表示する(ステップ６)。機能の表示は、ショートカット(92)やサムネイルにより行なうことができる。なお、機能がすべて表示できない場合には、ショートカット(92)の表示領域(93)をフリック等することで、図４(ｃ’)に示すように、表示領域(94)を左右にスライドさせるようにしてもよい。
【００３３】
なお、図５に示すように、機能を表示するショートカット(92)やサムネイルに数字を付して、機能の選択をテンキーにより行なうようにしてもよい。
【００３４】
第１ユーザデータに対する第２ユーザデータがなければ、その対応する機能も存在しない(ステップ４のＮｏ)。従って、この場合には、図６に示すように「データがありません」等の表示を行なうようにすればよい(ステップ９)。
【００３５】
実行部(73)により選択される機能は、第２ユーザデータが存在するものに限られるから、有効な第２ユーザデータのない機能が選択されてしまうことはない。例えば、第１ユーザデータ「鈴木」について、図８のテーブルを参照すると、自宅の電話番号は登録されていないから、第１ユーザデータ「鈴木」を選択した場合には、図７に示すように「発信自宅」の機能は表示されない。
【００３６】
表示画面(21)(31)に表示された機能のキーを使用者がタッチパネル(22)(32)を介してタップ操作やテンキー操作することにより(ステップ７)、アプリケーション制御部(71)は、対応する機能、即ち、第１ユーザデータ「鈴木」の携帯電話への発信(95)(図４(ｄ))、会社への音声発信(96)(図４(ｅ))、送受信メールの一覧表示(97)(図４(ｆ))、その他、メールの作成、ホームページの表示等をダイレクトに実行することができる(ステップ８)。
【００３７】
なお、ステップ６にて実行される機能を使用者が中断することができるように、図４(ｄ)、図４(ｅ)に示すように、「中止」ボタンを設けておくことが望ましい。
【００３８】
上記によれば、使用者は、第１ユーザデータに関連する機能を実行した時点で、前記第１ユーザデータに関連付けられた第２ユーザデータが存在する場合に、その第２ユーザデータに各々対応する機能を表示して、ダイレクトにその機能を実行することができる。このため、携帯端末装置の操作性を可及的に向上できる。また、有効な第２ユーザデータがない場合には機能は選択、表示されることはなく、操作の際に不便を感じることもない。
【００３９】
なお、上記実施例では、メールを受信した場合の受信メールの送信者の名称を第１ユーザデータとして、これに関連付けられた第２ユーザデータを抽出して、対応する機能を実行可能としている。しかしながら、第１ユーザデータはこれに限定されず、例えば、音声通話を終了したときに、通話相手先の電話番号を第１ユーザデータとすることもできる。その他の変形例について、以下に列挙する。
【００４０】
例えば、上記実施例では、タッチパネル(22)(32)を操作部とする携帯端末装置(10)について説明を行なったが、ボタン押下式の携帯端末装置では、機能に対応して表示されるショートカットやアイコンを１〜０の数字キーの長押し等の操作で起動するようにしてもよい。
【００４１】
ショートカットやアイコンは、該当するユーザのピクチャーＩＤ等と機能を組み合わせた表示とすることができる。
【００４２】
一覧から特定の第１ユーザデータを選択する際に、誤操作を防止するために、確認画面を表示するようにしてもよい。
【００４３】
誤操作による音声発信やメール送信等を防止するため、ショートカットやアイコンを操作した後、実際にその機能を実行するまでに待ち時間を設けるようにしてもよい。
【００４４】
第１ユーザデータに関連する機能として、上記の他、不在着信、通話履歴送信を例示できる。
【００４５】
第１ユーザデータに関連付けられた第２ユーザデータのうち、ユーザが表示を不要とする第２ユーザデータとその対応する機能を非表示に設定することができる。例えば、アドレス帳への登録時に表示、非表示を設定できるようにしてもよい。
【００４６】
また、使用者がシークレット登録しているユーザデータについては非表示としたり、使用者の所望により音声発信等の機能に制限を設けている場合に、これらユーザデータは非表示とするようにしてもよい。
【００４７】
第１ユーザデータに関連するグループを第２ユーザデータとして表示する場合、グループに属するすべてのユーザのデータを表示するのではなく、直近に音声通話やメールの送受信を行なった複数名のみを表示するようにしてもよい。
【００４８】
第１ユーザデータに関連付けられたすべての第２ユーザデータに対応する機能を表示するのではなく、使用者の使用頻度の高い機能、例えば、音声発信やメールの作成等だけを表示画面(21)(31)に表示したり、使用者により表示される機能を設定するようにしてもよい。
【００４９】
また、使用頻度の高い機能や、前回使用した機能を別の機能とは異なる態様で表示するようにしてもよい。異なる態様として、色、大きさ、フォントの変更を例示できる。
【００５０】
表示される第２ユーザデータと対応する機能は、タブにより切り替えたり、スクロールや画面切替により、電話番号のみ、メールアドレスのみ、これらを合わせた表示などに変更するようにしてもよい。
【００５１】
使用者が不要とするショートカットやアイコン等の変更、入れ替え、削除等を設定画面やショートカット等の表示画面で実行できるようにしてもよい。
【００５２】
使用者が常に表示を希望する第２ユーザデータ、例えば、電話番号やメールアドレスなどを予め設定することもできる。また、第１ユーザデータに関連付けられた第２ユーザデータとして、該当するユーザとよく行くレストラン等の施設に関するデータを含めることもできる。
【００５３】
ユーザデータに例えば複数の携帯電話番号が登録されている場合に、表示する電話番号の優先順位を設定することもできる。
【００５４】
例えばピクチャーＩＤ等を表示して、該ピクチャーＩＤをタップ等で選択することにより、ポップアップ等により第２ユーザデータと対応する機能のショートカット等を表示するようにしてもよい。
【００５５】
携帯端末装置をロックしている状態でも音声通話着信やメールを受信した場合に、ショートカット等を表示するようにして、ロック解除後にこれらを操作できるようにしてもよい。
【００５６】
上記した２つの表示画面(21)(31)を有する携帯端末装置(10)では、例えば送受信したメールを一方の表示画面(21)に表示し、他方の表示画面(31)にショートカット等を表示することができる。
【００５７】
第２ユーザデータに対応する機能として、所謂プッシュトゥトーク(push  to  talk)を含めることもできる。
【００５８】
対象のユーザと同じグループに属するユーザに関するショートカット等を表示するようにしてもよい。
【００５９】
また、複数のユーザに対して送信されたメール等の場合、送信者だけでなく、その他の受信ユーザに関するショートカットも表示するようにしてもよい。
【００６０】
さらに、一定期間経過し、更新されていないショートカット等は一覧から消去するようにしてもよい。
【００６１】
上記では、表示された第１ユーザデータの一覧をタップ操作することにより選択し、第２ユーザデータを抽出して、機能を表示するようにしている。この場合、第１ユーザデータの一覧からその他の操作、例えば選択したメールの内容を表示する等の操作は、例えば、ダブルタップやロングタップにより実行可能とすることができる。
【００６２】
上記した実施例を単独で又は複数組み合わせることにより、さらに操作性の高い携帯端末装置を提供できる。
【産業上の利用可能性】
【００６３】
本発明は、操作性にすぐれる携帯端末装置として有用である。
【符号の説明】
【００６４】
(10)  携帯端末装置
(20)  第１表示部
(30)  第２表示部
(60)  制御部
(61)  記憶部
(70)  オペレーティングシステム制御部
(71)  アプリケーション制御部
(72)  抽出部
(73)  実行部
(92)  サムネイル
(93)  表示領域
【図１】
2015216642.tif 000003
【図２】
2015216642.tif 000004
【図３】
2015216642.tif 000005
【図４】
2015216642.tif 000006
【図５】
2015216642.tif 000007
【図６】
2015216642.tif 000008
【図７】
2015216642.tif 000009
【図８】
2015216642.tif 000010